(57)【要約】【課題】  建具の新設の場合と既設の場合とを問わず建具に通気性を付与することができる。【解決手段】  ドア（建具）１の下部に固定される棒状のアンダーカット部材（建具部材）２４であって、ドア本体３に固定される側と反対の側にアンダーカット部３２を有し、このアンダーカット部３２と床３９との間にドア本体の表側１５と裏側１６との通気を可能にする通気経路２０が形成可能で、このアンダーカット部材２４を使用することにより、新設のドアの場合はもちろん既に取り付けられたドアの場合でも、床３９の位置に合せてドアの下部を幅方向１８に沿って切断すれば良いので、ドアの取り付けの自由度が増す。【選択図】              図１
2005282078.tif 000002
【特許請求の範囲】
【請求項１】
建具本体の下部に固定される棒状の建具部材であって、前記建具本体に固定される側と反対の側に凹部を有し、該凹部と床との間に前記建具本体の表側と裏側との通気を可能にする通気経路が形成可能であることを特徴とする建具部材。
【請求項２】
正面視略矩形状の建具本体と、該建具本体の下部を幅方向に沿って切断した木口に固定される請求項１に記載の建具部材とを備えてなることを特徴とする建具。
【請求項３】
正面視略矩形状の建具本体と、該建具本体の下部両側に固定されるブロック状の建具部材とを備え、該二つの建具部材の間に凹部が形成され、該凹部と床との間に前記建具本体の表側と裏側との通気を可能にする通気経路が形成可能であることを特徴とする建具。
【発明の詳細な説明】
【技術分野】
【０００１】
本発明は、建具に通気性を付与する建具部材および建具に関するものである。
【背景技術】
【０００２】
従来、建具に通気性を持たせる場合には、建具に換気ガラリを取り付けたり、建具と床との間に隙間を設けるなどの方法によっている。建具に換気ガラリを取り付ける場合には、建具本体に取り付け用の孔を穿ち、その孔に換気ガラリを取り付けるものである。
【０００３】
一方、建具と床との間に隙間を設ける場合には、予め建具の下部構造をこれに対応した構造に形成しなければならない。たとえば下記特許文献１に記載されているように、換気用貫通口を有する断面略Ｉ字形状の換気部材がドア本体の下方部に取り付けられており、換気部材の換気用貫通口を通る換気経路を確保するとともに換気用貫通口と偏位した換気口がドア本体の下方部に設けられ、これによってドアに通気性を持たせる。
【特許文献１】特開２００２−１２９８４５号公報
【発明の開示】
【発明が解決しようとする課題】
【０００４】
しかしながら、建具に換気ガラリを取り付ける場合は、換気ガラリを取り付けるための比較的大きな孔を建具本体に開けなければならない。このため、既設の建具の場合には芯組の形状を考慮にいれ、芯組を損傷しない位置に孔を開けるので、換気ガラリの建具における取り付け位置と大きさに制約を受けることが多い。また、建具と床との間に隙間を設ける場合は、予め建具本体の形状をこれに対応した構造にしなければならないので、既設の建具では適用が困難である。
【０００５】
本発明の課題は、建具の新設の場合と既設の場合とを問わず建具に通気性を付与することができることである。
【課題を解決するための手段】
【０００６】
本発明の建具部材は、建具本体の下部に固定される棒状の建具部材であって、建具本体に固定される側と反対の側に凹部を有し、この凹部と床との間に建具本体の表側と裏側との通気を可能にする通気経路が形成可能であることを特徴とする。
【０００７】
このようにすることにより、この建具部材を建具本体の下部に固定したときに、この建具部材の凹部と床との間に建具本体の表側と裏側との通気を可能にする通気経路が形成される。
【０００８】
また、本発明の建具は、正面視略矩形状の建具本体の下部を幅方向に沿って切断した木口に、上記建具部材を固定することにより形成されることを特徴とする。
【０００９】
このようにすることにより、新設の場合はもちろん既に取り付けられた既設の建具の場合でも、床の位置に合せて建具本体の下部を幅方向に沿って切断し、この切断木口に建具部材を固定することにより、建具に通気性を付与することができるので建具の取り付けの自由度が増す。
【００１０】
また、本発明の建具は、正面視略矩形状の建具本体と、この建具本体の下部両側に固定されるブロック状の建具部材とを備え、二つの建具部材の間に凹部が形成され、凹部と床との間に建具本体の表側と裏側との通気を可能にする通気経路が形成可能であることを特徴とする。
【００１１】
このようにすることにより、新設の場合はもちろん既に取り付けられた既設の建具の場合でも、床の位置に合せた建具部材を建具本体の下部両側に固定することにより、建具に通気性を付与することができる。また、建具の幅が異なっていても共通の建具部材を使用することができるので建具の取り付けの自由度がさらに増す。
【００１２】
次に本発明を構成する各要件についてさらに詳しく説明する。本発明における建具は、障子、襖、ドアあるいは扉など部屋（室）と部屋（室）とを仕切る可動性の工作物である。建具は、平板状の建具本体と、この下部に固定される建具部材とを備える。建具本体は、芯組の両側に表面板を張った、いわゆるフラッシュドアや框組のものでも良い。建具本体の表面板、框組あるいは建具部材の外側露出表面には化粧シートが貼着されると良い。また、建具の一方の部屋に面する側を表側とすれば、他方の部屋に面する側を裏側とする。
【００１３】
棒状の建具部材の形状は特に制限はない。その断面形状は略矩形状、Ｈ字状などで、建具本体の下部にその幅方向に沿って固定される。また、凹部の形状は、凹部と床との間に通気経路が形成され、下記のように、必要な通気面積が確保されれば特に限定されないが、たとえば建具部材を正面から見て下方に開口する一つまたは複数の円弧、コの字、山などで形成されるものとしても良い。
【００１４】
また、ブロック状の建具部材の形状は特に限定されず、その断面形状は略矩形状、Ｈ字状などで、建具本体の下部両側にその幅方向に沿って固定される。また、ブロック状の建具部材の大きさは、これらの間に形成される凹部と床との間に通気経路が形成され、下記のように必要な通気面積が確保されれば特に限定されない。
【００１５】
建具部材の凹部の大きさは、この凹部を含む建具の有効開口面積が通気性を有するに値する十分な大きさとする。一般に建具が通気性を有するものとされるためには、有効開口面積で１００〜１５０ｃｍ２が必要である。この有効開口面積は、建具とその枠体との間の周囲隙間による開口面積を含む値である。
【００１６】
建具の下面が床と平行である場合、上記有効開口面積を確保するために追加的に必要な隙間の高さは１０ｍｍ程度である。いま、建具の幅を９０ｃｍ、建具の最下面と床との距離を５ｍｍとすれば、凹部の開口面積として４５ｃｍ２（＝９０ｃｍ×０．５ｃｍ）以上あれば通気性があると考えられるので、この面積を参考に設定すると良い。
【００１７】
建具部材の固定は、建具部材の下面に複数の下穴を設けて、これらの下穴を利用してビス（木ねじ）を用いて建具本体に固定すると良い。この場合、接着剤を併用しても良い。なお、建具の下には建具と床とで形成される通気用の隙間が形成されるが、この場合の床として、床以外に下枠、沓ずり、障子や襖などの敷居も含まれるものである。なお、建具または建具本体の幅方向は、建具または建具本体を設置したときの左右方向（水平方向）である。
【発明の効果】
【００１８】
本発明の建具部材を使用することにより、新設の建具はもちろん既設の建具であっても、簡単に通気性を持たせることができるとともに、斬新なデザインを与えることができる。さらに、建具部材は単純な形状で製造が容易である。
【００１９】
また、本発明の建具によれば、新設の場合はもちろん既に取り付けられた建具の場合でも、床の位置に合せて建具本体の下部を切断した木口に建具部材を固定するか、あるいはブロック状の建具部材を建具の下部両側に固定すれば良いので、建具の取り付けの自由度が増す。
【発明を実施するための最良の形態】
【００２０】
以下、本発明に係る建具部材および建具の最良の形態を図面に基づいて詳細に説明する。なお、図１〜１１において、同一または同等部分には同一符号を付けて示す。
【実施例１】
【００２１】
図１は、本発明に係るドアの一実施例を示す正面図である。図２は、図１の右側面図である。実施例１のドア（建具）１は、ドア本体（建具本体）３と、このドア本体の下木口（下部）１３の幅方向１８に固定されるアンダーカット部材（建具部材）２４とを有する。ドア本体３は、点線で示す芯組５と、この芯組５の両側に設けられた表面板１１、１２とで形成される。表面板１１、１２の外側に露出する表面には化粧シートが貼着される。実施例１のドアは、フラッシュドアの場合であるが、框組ドアの場合にも適用できる。
【００２２】
図３は、図１、２に示すドアのドア本体を示し、ドア本体の下部を切断する前の正面図である。図４は、図３におけるＡ−Ａ線断面図である。ドア本体３は、枠状に形成された芯組５と、この芯組５の両面に張られた表面板１１、１２とを有する。芯組５は、縦方向（または垂直方向）に位置させる縦材６、７と、横方向（または水平方向）に位置させる上横材８、下横材９および中横材１０とを有する。下横材９は、図示の２点鎖線３５で切断される分だけ高さＨが大きく形成される。切断線３５からドア本体３の下端までの寸法は、略アンダーカット部材２４の高さである。
【００２３】
図１、２に示すドア１は、図３、４に示すように、正面視略矩形状のドア本体３の下部を幅方向１８に沿って２点鎖線３５で示すように切断することにより形成される下木口１３に、上記アンダーカット部材２４を固定することにより形成される。
【００２４】
図５は、図１に示すドアに使用するアンダーカット部材の正面図である。図６は、図３の右側面図である。アンダーカット部材２４は、ドア本体３の下面の幅方向１８に沿って固定される棒状の部材であって、ドア本体３に固定される側と反対の側に正面視矩形の中央位置で円弧状に切り欠いたアンダーカット部（凹部）３２を有する。アンダーカット部３２と床（図示せず）との間にドア本体の表側と裏側との通気を可能にする通気経路が形成可能である。
【００２５】
さらに、アンダーカット部材２４は、ドア本体３の幅に等しい幅Ｗを有し、断面略矩形である。アンダーカット部材２４の上側にはコの字形の溝２８が形成されている。溝２８の幅Ｔは略ドア本体３の厚さに等しく、ドア本体の下部が嵌入する。また、アンダーカット部材２４の外側露出表面には化粧シートが貼着されるが、化粧シートは溝の内側２８ａまで周り込ませると良い。
【００２６】
アンダーカット部３２の大きさは、開口面積として４５ｃｍ２以上あれば通気性を与えることができるので、たとえば、ドアの幅が９０ｃｍで下面が水平の場合には、ドアの下面３０と床３９との距離を１０ｍｍとすれば、ドアの下だけで９０ｃｍ２の開口面積となる。ドアの下面３０と床３９との距離Ｄを５ｍｍとすれば、アンダーカット部３２の開口面積として４５ｃｍ２以上あれば通気性があると考えられる。よって、円弧の弦の長さを５０ｃｍ、円弧の高さを２ｃｍとすれば４５ｃｍ２以上を確保できる。
【００２７】
ドア本体３とアンダーカット部３２との固定は、アンダーカット部３２の下面側にビスの下穴を形成しておき、その下穴からビス（木ねじ）を用いてドア本体３の下面に固定する。この場合、接着剤を併用しても良い。
【００２８】
次に、本実施例１のドア１およびアンダーカット部材２４の作用について説明する。図１、２において、アンダーカット部材２４をドア本体の下木口１３の幅方向１８に沿って固定したときに、アンダーカット部３２により、アンダーカット部材２４と床３９との間にドア本体の表側１５と裏側１６との通気を可能にする通気経路２０が形成される。
【００２９】
さらに、実施例１のドア１は、新設の場合はもちろん既に取り付けられたドアの場合でも、床３９の位置に合せてドア本体の下部を幅方向１８に沿って切断し、アンダーカット部材２４を固定すれば良いので、ドアの取り付けの自由度が増す。
【実施例２】
【００３０】
図７は、本発明に係る別のアンダーカット部材の正面図である。図８は、図７の右側面図である。実施例２のアンダーカット部材２５は、ドア本体３に固定される側と反対の側に正面視矩形の略二分割各中央位置で円弧状に切り欠いた二箇所のアンダーカット部（凹部）３３を有する。
【００３１】
アンダーカット部３３と床との間にはドア本体の表側と裏側との通気を可能にする通気経路が形成可能である。アンダーカット部３３の開口面積としては、二つの円弧開口面積を含めて４５ｃｍ２以上とすることにより通気性を与えることができるので、たとえば円弧の弦の長さを２０ｃｍ、円弧の高さを２．５ｃｍとすれば二つの円弧開口面積だけで４５ｃｍ２以上を確保できる。
【００３２】
実施例２のアンダーカット部材２５は、この部材の左右二箇所に通気経路が分散しているので、空気の流れが平均化できるという利点があり、かつ一つの円弧状アンダーカット部を設ける部材に較べ強度も向上する。なお、図７、８におけるその他の構造と作用は、図５、６に示す実施例１のアンダーカット部材２４と同じであるので、その説明を省略する。
【実施例３】
【００３３】
図９は、本発明に係るさらに別のアンダーカット部材の正面図である。図１０は、図９の右側面図である。実施例３のドアは、いわゆるセパレートタイプのアンダーカット部材２６を使用するものである。アンダーカット部材２６は、直方体の片側を円弧面状に切り欠いたブロック状の部材である。横断面形状は、略矩形状であり、ドア本体３の下部両側にその幅方向に沿って固定される。
【００３４】
アンダーカット部材２６のドア本体３に固定される側には溝２８が形成される。アンダーカット部材２６のドア本体３に固定される側と反対の側には、上記円弧面状に切り欠かれたアンダーカット部３４が形成される。なお、アンダーカット部材２６の外側露出表面には化粧シートが設けられ、溝の内側２８ａまで周り込ませる。
【００３５】
図１１は、図９におけるＢ−Ｂ線断面図である。ドア本体３は、その下部を図３、４に２点鎖線で示したと同じように切断した下木口１３にアンダーカット部材２６を固定するが、中央部の下木口１３ａには切断面がそのまま残る。このため中央部の下木口１３ａを覆い部材３７で覆う。覆い部材３７の断面形状はコの字形であるが、これに限定されない。もちろん覆い部材３７の外側露出表面には化粧シートが貼着されると良い。
【００３６】
実施例３の建具は、新設の場合はもちろん既に取り付けられた既設の建具の場合でも、床の位置に合せたアンダーカット部材２６をドア本体３の下部両側に固定することにより、ドアに通気性を付与することができる。さらに、覆い部材３７の長さを調整することによりドアの幅Ｗが異なっていても共通のアンダーカット部材２６を使用することができ、ドアの取り付けの自由度がさらに増す。なお、図９〜１１におけるその他の構造と作用は、図５、６に示すものと同じであるので、その説明を省略する。
【００３７】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００３８】
本発明の建具および建具部材は、障子、襖、ドアあるいは扉など部屋（室）と部屋（室）とを仕切るものに利用可能である。
【図面の簡単な説明】
【００３９】
【図１】本発明に係るドアの一実施例を示す正面図である。
【図２】図１の右側面図である。
【図３】図１、２に示すドアのドア本体を示し、ドア本体の下部を切断する前の正面図である。
【図４】図３におけるＡ−Ａ線断面図である。
【図５】図１に示すドアに使用するアンダーカット部材の正面図である。
【図６】図５の右側面図である。
【図７】本発明に係る別のアンダーカット部材の正面図である。
【図８】図７の右側面図である。
【図９】本発明に係るさらに別のアンダーカット部材の正面図である。
【図１０】図９の右側面図である。
【図１１】図９におけるＢ−Ｂ線断面図である。
【符号の説明】
【００４０】
１  ドア（建具）
３  ドア本体（建具本体）
１３  下木口
１５  表側
１６  裏側
１８  幅方向
２０  通気経路
２４〜２６  アンダーカット部材（建具部材）
３２〜３４  アンダーカット部（凹部）
３９  床
Ｄ  ドアの下面と床との距離
【図１】
2005282078.tif 000003
【図２】
2005282078.tif 000004
【図３】
2005282078.tif 000005
【図４】
2005282078.tif 000006
【図５】
2005282078.tif 000007
【図６】
2005282078.tif 000008
【図７】
2005282078.tif 000009
【図８】
2005282078.tif 000010
【図９】
2005282078.tif 000011
【図１０】
2005282078.tif 000012
【図１１】
2005282078.tif 000013